(57)【要約】【課題】  複数枚の見開き原稿の任意のページを選択したり削除したりして出力することができる画像処理装置を提供すること。【解決手段】  小冊子状原稿のページ画像を、小冊子状原稿として読み込む通常読み込み、及び、単シート状原稿として分割して読み込む分割読み込み、ができる原稿読取手段と、読み込んだ単シート状原稿の枚数を記憶する枚数記憶手段と、読み込んだ複数のページ画像データを記憶するページ画像データ記憶手段と、前記枚数記憶手段に記憶された原稿枚数に基づいて原稿のページ順を算出しうる出力順算出手段と、を有する画像処理装置において、１枚または複数枚の小冊子状原稿に対し、任意のページ画像を選択して１枚または複数枚の記録材に出力することができるページ画像選択出力手段を有することを特徴とする画像処理装置。【選択図】        図１
2005229252.tif 000002
【特許請求の範囲】
【請求項１】
小冊子状原稿のページ画像を、小冊子状原稿として読み込む通常読み込み、及び、単シート状原稿として分割して読み込む分割読み込み、ができる原稿読取手段と、
読み込んだ単シート状原稿の枚数を記憶する枚数記憶手段と、
読み込んだ複数のページ画像データを記憶するページ画像データ記憶手段と、
前記枚数記憶手段に記憶された原稿枚数に基づいて原稿のページ順を算出しうる出力順算出手段と、を有する画像処理装置において、
１枚または複数枚の小冊子状原稿に対し、任意のページ画像を選択して１枚または複数枚の記録材に出力することができるページ画像選択出力手段を有することを特徴とする画像処理装置。
【請求項２】
１枚または複数枚の小冊子状原稿に対し、任意のページ画像を選択して１ページまたは複数ページの画像データとして保存することができるページ画像選択記憶手段を有することを特徴とする請求項１に記載の画像処理装置。
【請求項３】
前記ページ画像データ記憶手段は、小冊子状ページ画像または単シート状ページ画像のいずれかを選択し、記憶することができることを特徴とする請求項１または２に記載の画像処理装置。
【請求項４】
前記ページ画像データ記憶手段は、前記小冊子状原稿に対応するページ画像の製本状態での開き方向（左右綴じ方向）を記憶することができることを特徴とする請求項１乃至３のいずれか１項に記載の画像処理装置。
【請求項５】
前記ページ画像選択出力手段または前記ページ画像選択記憶手段は、前記ページ画像データ記憶手段に記憶された画像データを呼び出して出力または保存することができることを特徴とする請求項１乃至４のいずれか１項に記載の画像処理装置。
【請求項６】
小冊子状原稿のページ画像を、小冊子状原稿として読み込む通常読み込み、及び、単シート状原稿として分割して読み込む分割読み込み、ができる原稿読取手段と、
読み込んだ単シート状原稿の枚数を記憶する枚数記憶手段と、
読み込んだ複数のページ画像データを記憶するページ画像データ記憶手段と、
前記枚数記憶手段に記憶された原稿枚数に基づいて原稿のページ順を算出しうる出力順算出手段と、を有する画像処理装置において、
前記原稿読取手段近傍から記録材の排出手段近傍に繋がる原稿搬送経路を有し、
読み込みを完了した前記小冊子状原稿が前記原稿搬送経路を経由して前記排出手段へと搬送され、更に、前記排出手段から後処理手段へと搬送されるように構成されていることを特徴とする画像処理装置。
【発明の詳細な説明】
【技術分野】
【０００１】
本発明は、複数枚の原稿を自動的に搬送し画像を読み取る画像処理装置に関し、詳しくは左右に一対のページ画像を形成された小冊子状原稿に対して、モードを切り替えることにより、ページ毎の単シート状原稿として分割読み込みができる原稿読取手段を備えた画像処理装置に関する。
【背景技術】
【０００２】
従来、複写機等の画像形成装置において、小冊子状原稿（片面に２ページ分の画像を形成された原稿で、以下、見開き原稿ともいう。）をページ毎に分割して読み取ることができるという所謂ページ連写機能を有する読取装置を備えたものがあり、書物等の２ページ分の画像を光学系の一度の走査で読み取るという画像形成装置は一般に普及している。しかしながら、見開き原稿を読み取り装置で読み取らせる際の操作は、手作業となり効率が悪かった。この問題を解決するため、複数枚の見開き原稿を自動的に搬送し、ページ毎に分割して読み取ることができるページ連写機能を有する読取装置を備えた画像形成装置に係る技術が開示されている（例えば、特許文献１）。特許文献１では、同様な機能を有する画像伝送装置も記載されている。
【０００３】
図９は、シート状の見開き原稿を用いて単シート状原稿に出力した状態を説明するための模式図である。
【０００４】
特許文献１等で従来用いられているページ連写機能の具体的な例として図９に示す例について以下に説明する。この見開き原稿は、例えば、中折りされ折り目部をステープル針で綴じられた小冊子に対し、当該小冊子のステープル針を除去し折り目部を延ばすことで得られる。図９（ａ）は綴じ方向が左側である左綴じ（左開きともいう）の例であり、図９（ｂ）は綴じ方向が右側である右綴じ（右開きともいう）の例である。図９（ｃ）は図９（ａ）及び図９（ｂ）の見開き原稿を片面の単シート状原稿に出力した状態を示す図である。
【０００５】
図９（ａ）及び図９（ｂ）に示すように、Ｎ枚の見開き原稿がページ順に並べられているとき、１枚目の原稿の裏面には１ページ目と４Ｎページ目との画像が形成され、１枚目の原稿の表面には２ページ目と（４Ｎ−１）ページ目との画像が形成され、２枚目の原稿の裏面には３ページ目と（４Ｎ−２）ページ目との画像が形成され、２枚目の原稿の表面には４ページ目と（４Ｎ−３）ページ目との画像が形成される。以下、順に画像が形成され、Ｎ枚目の原稿の裏面には（２Ｎ−１）ページ目と（２Ｎ＋２）ページ目との画像が形成され、Ｎ枚目の原稿の表面には２Ｎページ目と（２Ｎ＋１）ページ目との画像が形成される。これらの見開き原稿は、ページ連写機能を有する読取装置を用いると、図９（ｃ）に示すように、片面の場合１ページ目から４Ｎページ目までの４Ｎ枚（両面なら２Ｎ枚）の単シート状原稿として読み取られる。このような読み取り機能は一般にページ連写機能と言われている。
【０００６】
然るに、複写機等の画像処理装置のユーザには、複数枚の見開き原稿の一部のページを選択または削除して出力したり、画像データを画像処理装置のメモリやフロッピー（Ｒ）ディスク等に保存したいという要望が起きる場合があるが、この要望に特許文献１等に記載された技術では対応できない。
【特許文献１】特開平９−２３３２９号公報
【発明の開示】
【発明が解決しようとする課題】
【０００７】
本発明は、上記の問題を解決するため、複数枚の見開き原稿の任意のページを選択したり削除したりして出力することができる画像処理装置を提供することを目的とする。
【課題を解決するための手段】
【０００８】
本発明の目的は、下記の構成により達成することが出来る。
（１）小冊子状原稿のページ画像を、小冊子状原稿として読み込む通常読み込み、及び、単シート状原稿として分割して読み込む分割読み込み、ができる原稿読取手段と、
読み込んだ単シート状原稿の枚数を記憶する枚数記憶手段と、
読み込んだ複数のページ画像データを記憶するページ画像データ記憶手段と、
前記枚数記憶手段に記憶された原稿枚数に基づいて原稿のページ順を算出しうる出力順算出手段と、を有する画像処理装置において、
１枚または複数枚の小冊子状原稿に対し、任意のページ画像を選択して１枚または複数枚の記録材に出力することができるページ画像選択出力手段を有することを特徴とする画像処理装置。
（２）１枚または複数枚の小冊子状原稿に対し、任意のページ画像を選択して１ページまたは複数ページの画像データとして保存することができるページ画像選択記憶手段を有することを特徴とする（１）に記載の画像処理装置。
（３）前記ページ画像データ記憶手段は、小冊子状ページ画像または単シート状ページ画像のいずれかを選択し、記憶することができることを特徴とする（１）または（２）に記載の画像処理装置。
（４）前記ページ画像データ記憶手段は、前記小冊子状原稿に対応するページ画像の製本状態での開き方向（左右綴じ方向）を記憶することができることを特徴とする（１）乃至（３）のいずれか１項に記載の画像処理装置。
（５）前記ページ画像選択出力手段または前記ページ画像選択記憶手段は、前記ページ画像データ記憶手段に記憶された画像データを呼び出して出力または保存することができることを特徴とする（１）乃至（４）のいずれか１項に記載の画像処理装置。
（６）小冊子状原稿のページ画像を、小冊子状原稿として読み込む通常読み込み、及び、単シート状原稿として分割して読み込む分割読み込み、ができる原稿読取手段と、
読み込んだ単シート状原稿の枚数を記憶する枚数記憶手段と、
読み込んだ複数のページ画像データを記憶するページ画像データ記憶手段と、
前記枚数記憶手段に記憶された原稿枚数に基づいて原稿のページ順を算出しうる出力順算出手段と、を有する画像処理装置において、
前記原稿読取手段近傍から記録材の排出手段近傍に繋がる原稿搬送経路を有し、
読み込みを完了した前記小冊子状原稿が前記原稿搬送経路を経由して前記排出手段へと搬送され、更に、前記排出手段から後処理手段へと搬送されるように構成されていることを特徴とする画像処理装置。
【発明の効果】
【０００９】
請求項１または２に記載の発明によれば、複数枚の小冊子状原稿（見開き原稿）から任意のページを選択したり削除したりして希望する画像データを出力または記憶させることができる。
【００１０】
請求項３に記載の発明によれば、複数枚の見開き原稿から希望する画像データを小冊子状ページ画像または単シート状ページ画像のどちらかを選択して出力または記憶させることができる。
【００１１】
請求項４または５に記載の発明によれば、ページ画像の製本状態での開き方向（左右）を任意に選択して出力または記憶させることができる
請求項６に記載の発明によれば、読み込みを完了した複数枚の見開き原稿を原稿搬送経路を経由させて排出手段から後処理手段へと搬送させ、後処理手段にてステープラ針を打つ等の処理を行うことができる。
【発明を実施するための最良の形態】
【００１２】
以下、本発明の画像読み取り装置及び画像読み取り装置を備えた画像処理装置を添付図面に基づいて説明する。
【００１３】
図１は、本発明の実施の形態に係る画像処理装置の構成を示すブロック図であり、図２は、本発明の実施の形態に係る画像処理装置の構成を示す概略断面図である。
【００１４】
画像処理装置１は、原稿読取手段Ａ、画像形成手段Ｂ、操作手段Ｃ、及び制御部Ｄにより構成され、制御部Ｄには、画像処理手段１０１、枚数記憶手段１０２、ページ画像データ記憶手段１０３、出力順算出手段１０４、ページ画像選択出力手段１０５が含まれる。原稿読取手段Ａは両面原稿自動送り装置Ａ１と画像読み取り装置Ａ２とで構成され、画像読み取り装置Ａ２が画像形成手段Ｂの上部に配設され、その上部に両面原稿自動送り装置Ａ１が開閉可能に支持されている。画像形成手段Ｂは、画像書き込み手段３、画像形成部４、カセット給紙手段５、搬送手段６、定着手段７、排出手段８、自動両面プリントのための再搬送手段（ＡＤＵ）９を備えている。
【００１５】
両面原稿自動送り装置Ａ１において、ａは原稿給紙台、ｂは給紙ローラ、ｃは分離ローラ、ｄはレジストローラ、ｅは搬送ドラム、ｆはフラッパ、ｇは排出ローラ、ｈは原稿反転トレイ、ｋは原稿排出トレイである。両面原稿自動送り装置Ａ１は、片面原稿読み取り機能と両面原稿読み取り機能とを有する。また、搬送ドラムｅに近接した位置に揺動自在に配設された切替レバーｍがあり、切替レバーｍから排出手段８へと繋がる位置に原稿搬送経路ｎが配設されている。
【００１６】
画像読み取り装置Ａ２の光学系は、光源と第１ミラーを備える露光ユニット１４、第２ミラーと第３ミラーから成るＶミラーユニット１５、レンズ１６、ＣＣＤイメージセンサ１７により構成されている。画像読み取り装置Ａ２の上部には操作手段Ｃが配設されている。操作手段Ｃはモード切替手段（後述）を有している。
【００１７】
両面原稿自動送り装置Ａ１から送られた原稿の画像読み取り装置Ａ２による原稿読み取りは、露光ユニット１４がスリット露光用ガラス１３の下方の初期位置（ホームポジション）に停止した位置において行われる。原稿台ガラス１１上の原稿（プラテン載置原稿）の読み取りは、露光ユニット１４及びＶミラーユニット１５を移動させながら行われる。画像読み取り装置Ａ２において読み取られた原稿画像の画像情報は制御部Ｄ内の画像処理手段１０１により画像処理が行われ、画像データとして信号化され、一旦ページ画像データ記憶手段１０３に格納される。
【００１８】
前記モード切替手段によりページ連写モード（後述）が選択されたときは、原稿画像の長手方向中間の位置で左右のページを２ページ分として分割して画像データが読み込まれ、枚数記憶手段１０２及びページ画像データ記憶手段１０３にデータが格納される。
【００１９】
通常プリントモード（後述）が選択されたときは、原稿画像を分割せずにそのまま１ページ分の原稿として読み込む通常読み込みが行われる。
【００２０】
画像書き込み手段３においては、半導体レーザからの出力光が画像形成手段４の感光体ドラムに照射され、潜像を形成する。画像形成手段４においては、帯電、露光、現像、転写、分離、クリーニング等の処理が行われ、カセット給紙手段５から搬送された用紙Ｐに画像が転写される。画像を担持した用紙Ｐは、搬送手段６により搬送され、定着手段７により定着され、排出手段８により装置外の排出トレイ８１に排出される。または、搬送路切り替え板８２により再搬送手段９に送り込まれた第１面に画像形成された用紙Ｐは、再び画像形成手段４において第２面に画像形成後、排出手段８により装置外の排出トレイ８１に排出される。或いは、搬送路切り替え板８２により通常の排出通路から分岐した用紙Ｐは、反転排紙部８３においてスイッチバックして表裏反転された後、排出手段８により装置外の排出トレイ８１に排出される。或いは、排出トレイ８１の代わりに画像処理装置の後に後処理装置（不図示）が接続され、画像を形成された用紙Ｐの後処理（中折り、中綴じ、カット、穴開け等）ができる構成となっている。
【００２１】
図３は、本発明に係る操作手段の一実施形態である操作パネルを示す図であり、操作パネルＣ上には、タッチパネル上に表示される画面２０が表示され、右端にテンキー１５１、その左側にテンキー表示部１５２、スタートボタン１５３、下部に再設定ボタン１５４、キャンセルボタン１５５が配設される。
【００２２】
図３（ａ）はモード切替画面を示し、本画面は画像処理装置の電源オン後の操作パネルＣ上に表れたメニュー画面（不図示）からモード切替ボタンを選択して押下することにより表示される画面である。図３（ｂ）は図３（ａ）の次画面を示し、図４は図３（ｂ）の次画面、図５（ａ）及び図５（ｂ）は図３（ａ）、図４、または図６の次画面を示す。図６は図３（ａ）または図４の次画面を示す。
【００２３】
図３（ａ）は、通常プリントモードとページ連写モードとの切り替えを行うことができるモード切替画面であり、本画面に示す通常プリントモードボタン２１とページ連写モードボタン２２とのいずれかを選択することによりモードが切り替えられる。通常プリントモードボタン２１の右側には原稿自動送りボタン２１１とプラテン載置原稿ボタン２１２とが表示され、ページ連写モードボタン２２の右側にはハード原稿ボタン２２１と読み込みデータボタン２２２とが表示される。ハード原稿ボタン２２１の右側には原稿自動送りボタン２５１とプラテン載置原稿ボタン２５２とが表示され、読み込みデータボタン２２２の右側には内蔵画像データボタン２６１と外部データボタン２６２とが表示される。タッチパネル画面ではいずれの場合も最後にスタートボタンを押すことによって次画面に切り替わる。本画面の下側に表示される再設定ボタン１５４はタッチパネル画面上の表示を訂正したいときに押すボタンでキャンセルボタン１５５は一つ前の画面に戻すためのボタンである。ページ連写モードに続いてハード原稿が選択される場合の条件として、本実施の形態では、原稿給紙台ａに見開き原稿（小冊子状原稿）が搭載されているものとする。
【００２４】
図３（ａ）の画面から通常プリントモードボタン２１を選択し、次いで原稿自動送りボタン２１１またはプラテン載置原稿ボタン２１２を選択することにより図５（ａ）の画面に切り替わる。原稿自動送りまたはプラテン載置原稿の選択を行うための構成としては、操作パネルＣ上に選択ボタンを設置せず、置かれた原稿の位置を検知することにより自動的に切り替えられる構成としても良い。
【００２５】
また、図３（ａ）の画面からページ連写モードボタン２２を選択し、続いてハード原稿または読み込みデータのいずれかの選択ができる。ハード原稿の選択に続いて、更に原稿自動送りとプラテン載置原稿のいずれかを選択することができる。原稿自動送りとプラテン載置原稿の選択については、通常プリントモードと同様に置かれた原稿の位置から検知しても良い。ハード原稿ボタン２２１の選択の後に原稿自動送りボタン２５１を選択すると図３（ｂ）の画面に変わる。また、原稿自動送りボタン２５１を選択することにより、制御部Ｄの出力順算出手段１０４が動作して見開き原稿は単ページ原稿として分割読み込みされる構成となる。
【００２６】
プラテン載置原稿ボタン２５２を選択すると図５（ａ）の画面に変わる。読み込みデータボタン２２２を選択し、更に内蔵画像データボタン２６１を選択するとページ画像データ記憶手段１０３から内蔵の画像データのファイル番号を示す画面（不図示）が表示され、希望する番号を選択することにより所望の画像を出力することができる（ここでいう出力とは、画像データのプリントまたはページ画像データ記憶手段１０３への保存をいう）。読み込みデータの選択の後に外部データを選択するとフロッピー（Ｒ）ディスク等からの画像データを画像処理装置に設けた入力装置（不図示）から入力して画像データを出力することができる。
【００２７】
図３（ａ）の下方の位置に、原稿が片面原稿であるか両面原稿であるかの選択する片面ボタン１５５と両面ボタン１５６、原稿排出時のステイプルの有無を選択する排出ボタン（ステイプル不要時に選択）１５７とステイプル加工して排出するステイプルボタン１５８とがある。排出ボタン１５７を選択し、片面ボタン１５５を選択すると片面を画像読み取り装置Ａ２により読み取られた原稿は、そのまま原稿排出トレイｋへ排出される。排出ボタン１５７を選択し、両面ボタン１５６を選択すると片面を画像読み取り装置Ａ２により読み取られた原稿は、原稿反転トレイｈで反転されて再度画像読み取り装置Ａ２により読み取られ、原稿排出トレイｋへ排出される。ステイプルボタン１５８を選択すると、片面または両面の読み取りを完了した原稿は、搬送ドラムｅに近接して設けられた切替レバーｍの切り替え作動により搬送ドラムｅから離間され、原稿搬送経路ｎへ導かれて排出手段８に進入し、後処理装置へ送られ中綴じされて後処理装置の排出トレイ（不図示）に排出される。
【００２８】
図３（ｂ）の画面は、ページ連写モードにおける原稿自動送りを選択したときの画面である。当該画面には、画像データ出力時の形態を選択する形態ボタン３１があり、その右側に小冊子状の見開きページで出力するときに選択する小冊子ボタン３１１と、単ページのプリントで出力するときに選択する単ページボタン３１２とがある。また、開き方向（製本状態で右開きとなるか左開きとなるかの方向で、綴じ方向ともいう。）が選択できる開き方向ボタン３２があり、その右側に右開きボタン３２１と左開きボタン３２２とがある。更に原稿画像データの出力の対象となるページを呼び出すための選択を行うボタンが全ページボタン３３とページ選定ボタン３４があり、全てのページを出力するときには全ページボタン３３を押し、選択したページのみを出力するときはページ選定ボタンを選ぶ。選択したページだけを出力するかの選択ができる。選択したページだけを出力するページ選定ボタンを押すと図４の画面に切り替わる。このとき選択されたページは枚数記憶手段１０２及びページ画像データ記憶手段１０３に記憶される。
【００２９】
図４の画面は、図３（ｂ）に示したページ選定ボタン３４を押すことで表れる画面であり、本発明の実施の形態に係るページ画像選択出力手段及びページ画像選択記憶手段であるページ選定画面１０５が表示される。本画面には、読み込み済みページ番号画面４０と、選択ボタン４２、削除ボタン４３、及び決定ボタン４４と、データ保存ボタン５０及びプリントボタン５１が表示される。この画面からページ画像データ記憶手段１０３に読み込まれた原稿が呼び出されて、読み込み済みページ番号画面４０にページ番号が数値１、２、３、・・・、Ｎ−２、Ｎ−１、Ｎで表示される。選択ボタン４２を押して左右の矢印キー４１を操作することにより希望するページだけが選択できる。希望するページの方が多いときには削除ボタン４３を押して左右の矢印キー４１を操作することにより削除するページだけが選択でき、決定ボタン４４を押すことにより希望するページ番号を残すことができる。このとき、画像データは、制御部Ｄの出力順算出手段１０４を経由して、枚数記憶手段１０２及びページ画像データ記憶手段１０３に保存される。次に、プリントボタン５１を押せばページ画像選択出力手段として動作して図５（ａ）のプリントを実行する画面に切り替わり、データ保存ボタン５０を押せばページ画像選択記憶手段として動作して図５（ｂ）の画像データを保存する画面に切り替わる。
【００３０】
図５（ａ）の画面は、プリント作業のための画面であり、本画面には、出力させるプリント画像を片面または両面のいずれにするかを決める片面ボタン６１と両面ボタン６２、プリント倍率を１：１とする１．００ボタン６３、拡大するための拡大ボタン６４、縮小するための縮小ボタン６５、ズーミングを行うためのズームボタン６６、プリント濃度を標準とする標準ボタン６８、濃くするための「濃く」ボタン６７、薄くするための「薄く」ボタン６９、紙サイズを選択するＡ３ボタン７０、Ａ４ボタン７１、Ｂ４ボタン７２、Ｂ５ボタン７３、プリントされた記録材の右側にステイプルするための右綴じボタン７４、左側にステイプルするための左綴じボタン７５、及び、中央にステイプルするための中綴じボタン７６が表示される。ユーザは、プリント面、倍率、濃度、紙サイズ、ステイプルの要否、を選択した後、テンキー１５１を用いてプリント枚数を設定し、スタートボタン１５３を押してプリントを開始する。出力するモードがページ連写モードのときは、原稿自動送り（片面または両面）かプラテン載置原稿かによって、制御部Ｄの枚数記憶手段１０２、ページ画像データ記憶手段１０３及び出力順算出手段１０４を動作させてプリントする画像データの順が決められ、ページ画像データ記憶手段１０３に記憶された画像データが取り出されてプリント出力される。即ち、原稿給紙台ａに搭載された見開き原稿は、出力時の形態（小冊子状か、単ページ状か）、開き方向（右開きか左開きか）、及びページの選択について図３（ｂ）画面で入力された条件に応じてプリントされ、複数枚のプリント済み記録材が出力される。
【００３１】
図５（ｂ）の画面は、図４の画面のデータ保存ボタンを押したときの次画面で、この画面から原稿の画像データをページ画像データ記憶手段１０３または画像処理装置に設けた入力装置からフロッピー（Ｒ）ディスク等へ入力することができる。本画面には、内蔵画像データボタン８１及び外部データボタン８２が表示され、更に、テンキー１５１を操作してファイル番号を設定することができるファイル番号表示画面８３が表示される。ユーザは、内蔵画像データボタン８１を押し、テンキー１５１からファイル番号をファイル番号表示画面８３に設定し、スタートボタンを押すことで画像形成装置のページ画像データ記憶手段１０３へ画像データを保存することができる。このとき、画像データは、制御部Ｄの出力順算出手段１０４を経由して、枚数記憶手段１０２及びページ画像データ記憶手段１０３に保存される。外部データボタン８２を押してテンキー１５１からファイル番号表示画面８３にファイル番号を設定することで画像処理装置に設けた前記入力装置を用いてフロッピー（Ｒ）ディスク等へ画像データを保存することができる。
【００３２】
図６の画面は、図３（ａ）の画面のプラテン載置原稿ボタン２５２を押したときの次画面で、データ保存ボタン９１とプリントボタン９２とがあり、データ保存ボタン９１を押せば図５（ｂ）の画面に切り替わり、プリントボタン９２を押せば図５（ａ）の画面に切り替わる。
【００３３】
図７は、ページ連写モードにおける原稿自動送りを選択したときの画像処理装置の動作手順を示すフローチャートである。
【００３４】
ユーザは、図３（ａ）で説明した通常プリントモードとページ連写モードとの切り替えを行い（Ｓ１１）、通常プリントモードの場合は通常プリントモードボタン２１を押して図５（ａ）に示す画面に切り替え、通常プリントモードの手順（公知の手順のため手順の説明は省略）に従ってプリント作業を行う。ページ連写モードボタン２２によりページ連写モードが選択されたときは次ステップ（Ｓ１２）へ進む。次いで、図３（ａ）のハード原稿ボタン２２１からハード原稿を選び、更にプラテン載置原稿ボタン２５２からプラテン載置原稿を選ぶと書籍ページ連写モード（図８参照）の手順（Ｓ３３）へと移行する。原稿自動送りボタン２５１から原稿自動送りを選択すると図３（ｂ）の画面に示す次ステップ（Ｓ１３）へと移行する。Ｓ１３において、形態ボタン３１から出力形態（小冊子状か単ページ状か）、開き方向ボタン３２から開き方向（右開きか左開きか）、及び、ページ選択画面から出力対象範囲（全ページボタン３３を押して全ページ出力を選択するか、ページ選定ボタン３４を押してページ選定による出力を選択するか）の出力条件を選択し、更に、原稿が片面のときは片面ボタン１５５を選択し、両面のときは両面ボタンを選択する。更にまた、原稿をそのまま排出するときは排出ボタン１５７を、ステイプル処理するときにはステイプルボタン１５８を押し、最後にスタートボタン１５３を押す（Ｓ１３）ことにより次画面（図４）のステップ（Ｓ１４）に移行する。Ｓ１４からＳ２０までのステップは画像処理装置側で自動的に処理されるステップである。即ち、原稿が両面原稿であるとき、両面原稿自動送り装置Ａ１により原稿給紙台ａから原稿が送り出され（Ｓ１４）、画像読み取り装置Ａ２により最初に原稿の左側ページが読み込まれ（Ｓ１５）、次に右側ページが読み込まれる（Ｓ１６）。次いで原稿が原稿反転トレイｈにおいて反転され（Ｓ１７）、更に反転されたページの左側ページが画像読み取り装置Ａ２により読み込まれ（Ｓ１８）、次に右側ページが読み込まれる（Ｓ１９）。次いで最終原稿か否かが判定され（Ｓ２０）、最終原稿でないときにはＳ１４に戻る。最終原稿であると判定されたときには、次ステップ（Ｓ２１）へ進む。Ｓ２１では、図４に示す画面から、選択ボタン４２、削除ボタン４３、及び決定ボタン４４と左右の矢印キー４１とを用いて出力を希望するページを選択し（Ｓ２１）、データ保存ボタン５０を押して画像データを保存するか、またはプリントボタン５１を押してプリントするかのどちらかを選択する（Ｓ２２）。プリントボタン５１を選択したときにはＳ２３に進み、画像形成手段Ｂが動作して画像データをプリントする。ここで、最終の画像データであるか否かを確認し（Ｓ２４）、最終画像データでないときにはＳ２３に戻ってプリントを継続し、最終画像データであるときにはＳ２５に進み、原稿を排出する手順になるが、Ｓ１３において原稿の排出を選択していれば原稿はそのまま原稿排出トレイｋに排出され、原稿をステイプルするように選択していれば原稿は原稿搬送経路ｎ及び排出手段８を経由し、画像処理装置１に接続された後処理装置で中綴じ処理され、所定の排出トレイ（不図示）に排出される（Ｓ２５）。データ保存ボタン５０を押して画像データの保存を選択したときにはＳ２６に進み、画像データが枚数記憶手段１０２及びページ画像データ記憶手段１０３に保存される（Ｓ２６）。
【００３５】
図８は、ページ連写モードにおけるプラテン載置原稿を選択したときの書籍ページ連写モードの動作手順を示すフローチャートである。
【００３６】
ユーザが、図３（ａ）で説明した通常プリントモードとページ連写モードとの切り替えを行い（Ｓ３１）、通常プリントモードの場合は通常プリントモードボタン２１を押して図５（ａ）に示す画面に切り替え、通常プリントモードの手順（公知の手順のため手順の説明は省略）に従ってプリント作業を行う。ページ連写モードボタン２２によりページ連写モードが選択されたときは次ステップ（Ｓ３２）へ進む。次いで、図３（ａ）のハード原稿ボタン２２１からハード原稿を選び、更にプラテン載置原稿ボタン２５２からプラテン載置原稿を選ぶと書籍ページ連写モードへと移行し、ユーザは原稿を原稿台ガラス上に載置する（Ｓ３３）。次にスタートボタンを押す（Ｓ３４）と、画像読み取り装置Ａ２が動作して最初に左側のページが読み込まれ（Ｓ３５）、続いて右側のページが読み込まれる（Ｓ３６）。次に最終原稿かどうかが判定され（Ｓ３７）、最終原稿でないときにはＳ３３に戻る。最終原稿であると判定されたときにはＳ３８に進む。Ｓ３８では、図６に示す画面に切り替わり、データ保存ボタン９１から画像データを保存するか、またはプリントボタン９２からプリントするかのどちらかを選択する（Ｓ３８）。プリントを選択したときにはＳ３９に進み、画像形成手段Ｂが動作して画像データをプリントする。ここで、最終の画像データであるか否かが確認され（Ｓ４０）、最終画像データでないときにはＳ３９に戻ってプリントが継続され、最終画像データになったときにはＳ４１に進み、プリントされた用紙が排出トレイ８１、或いは後処理装置でステイプル処理されて前記排出トレイに排出される。データ保存ボタン９１から画像データの保存を選択したときにはＳ４２に進み、画像データが枚数記憶手段１０２及びページ画像データ記憶手段１０３に保存される（Ｓ４２）。
【図面の簡単な説明】
【００３７】
【図１】本発明の実施の形態に係る画像処理装置の構成を示すブロック図である。
【図２】本発明の実施の形態に係る画像処理装置の構成を示す概略断面図である。
【図３】本発明に係る操作手段の一実施形態である操作パネルを示す図である。
【図４】図３（ｂ）の次画面を示す図である。
【図５】図３（ａ）、図４、または図６の次画面を示す図である。
【図６】図３（ａ）または図４の次画面を示す図である。
【図７】ページ連写モードにおける原稿自動送りを選択したときの画像処理装置の動作手順を示すフローチャートである。
【図８】ページ連写モードにおけるプラテン載置原稿を選択したときの書籍ページ連写モードの動作手順を示すフローチャートである。
【図９】シート状の見開き原稿を用いて単シート状原稿に出力した状態を説明するための模式図である。
【符号の説明】
【００３８】
１  画像処理装置
８  排出手段
１０１  画像処理手段
１０２  枚数記憶手段
１０３  ページ画像データ記憶手段
１０４  出力順算出手段
１０５  ページ画像選択出力手段
Ａ  原稿読取手段
Ｂ  画像形成手段
Ｃ  操作手段
Ｄ  制御部
Ａ１  両面原稿自動送り装置
Ａ２  画像読み取り装置
ａ  原稿給紙台
ｇ  排出ローラ
ｈ  原稿反転トレイ
ｋ  原稿排出トレイ
ｍ  切替レバー
ｎ  原稿搬送経路
【図１】
2005229252.tif 000003
【図２】
2005229252.tif 000004
【図３】
2005229252.tif 000005
【図４】
2005229252.tif 000006
【図５】
2005229252.tif 000007
【図６】
2005229252.tif 000008
【図７】
2005229252.tif 000009
【図８】
2005229252.tif 000010
【図９】
2005229252.tif 000011